(57)【要約】【課題】  ピルファープルーフ機能、衛生性を損なわずストローで吸い飲み可とする。【解決手段】  ピルファープルーフ構造を有したキャップ本体１、その天板５の内側に配されて閉栓に伴い容器２の口２ａに嵌合する環状壁８を有した内パッキン１１とを軸線方向での引っ掛かりによる脱落防止を図るキャップＣとして閉栓に供し、開栓時にはピルファープルーフバンド７の切り離しに併せ、前記引っ掛かりを解除して内パッキン１１を容器２の口２ａへの嵌合状態に取り残して露出させ、その天板１５の環状壁８よりも内側に有した簡易開封部２１を通じたストロー２２での吸い飲み、または内パッキン１１の取り外しによる直飲みまたはストロー２２での吸い飲みに供せるようにすることにより、上記目的を達成する。【選択図】  図１
2006160290.tif 000002
【特許請求の範囲】
【請求項１】
容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンの天板から下方に延びてキャップ本体の容器の口への閉栓に伴い容器の口に嵌合してシールする環状壁を有したキャップを、前記内パッキンのキャップ本体との軸線方向での引っ掛かりによる脱落の防止を図って閉栓に供し、またはこの閉栓と閉栓に伴う前記引っ掛かりの解除とに供し、閉栓後のキャップ本体の開栓、取り外し時には、前記部分接続部でのピルファープルーフバンドの切り離しによる取り残しに併せ、前記引っ掛かり解除状態によりまたは前記引っ掛かりの解除を伴って内パッキンを容器の口への嵌合状態に取り残して露出させ、その天板の前記環状壁よりも内側に有する簡易に開封できる簡易開封部を通じたストローでの吸い飲み、または内パッキンの取り外しによる直飲みまたはストローでの吸い飲みに供せるようにすることを特徴とする容器のキャップの使用方法。
【請求項２】
容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンの天板から下方に延びてキャップ本体の容器の口への閉栓に伴い容器の口に嵌合してシールする環状壁を有したキャップを、前記内パッキンのキャップ本体との軸線方向での引っ掛かりによる脱落の防止を図って閉栓に供し、またはこの閉栓と閉栓に伴う前記引っ掛かりの解除とに供し、閉栓後のキャップ本体の開栓、取り外し時には、前記部分接続部でのピルファープルーフバンドの切り離しによる取り残しに併せ、前記引っ掛かり解除状態によりまたは前記引っ掛かりの解除を伴って内パッキンを容器の口への嵌合状態に取り残して露出させ、その天板の前記環状壁よりも内側に有する簡易に開封できる簡易開封部を通じたストローでの吸い飲み、または内パッキンの取り外しによる直飲みまたはストローでの吸い飲みに供せるようにし、開栓後のキャップ本体の再度の閉栓により容器の口の、直接または内パッキンを介したシールを図れるようにすることを特徴とする容器のキャップの使用方法。
【請求項３】
容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンはその天板から下方に延びてキャップ本体の容器の口への閉栓に伴い容器の口に嵌合してシールする環状壁と、天板の前記環状壁よりも内側に簡易に開封される簡易開封部とを有し、キャップ本体と内パッキンとの間に、互いの軸線方向での引っ掛かりにより内パッキンの容器の口からの脱落を防止し、キャップ本体の容器の口への閉栓によって前記引っ掛かりが予め解除されるか、閉栓したキャップ本体が開栓される際に前記引っ掛かりが前記環状壁の容器の口との嵌合状態からの引き抜き抵抗よりも小さな力で解除される引っ掛かり部を設けたことを特徴とする容器のキャップ。
【請求項４】
内パッキンの引っ掛かり部とキャップ本体の胴部の引っ掛かり部とは、それらの少なくとも一方のそれ自体またはおよび周辺の弾性変形または塑性変形による変位を伴い前記引っ掛かり合いが解除される請求項３に記載の容器のキャップ。
【請求項５】
弾性変形または塑性変形は内パッキン側がなし、内パッキンはキャップ本体よりも軟質の樹脂材料よりなる請求項４に記載の容器のキャップ。
【請求項６】
弾性変形または塑性変形する引っ掛かり部またはおよびその周辺部は、周方向に断続して設けてある請求項４、５のいずれか１項に記載の容器のキャップ。
【請求項７】
弾性変形または塑性変形する引っ掛かり部またはおよびその周辺部は、内パッキン側基部またはおよびキャップ本体の胴部側基部に、弾性変形または塑性変形を促進する肉抜き、刻線、切り込みなどによる変形促進部を設けた請求項４〜６のいずれか１項に記載の容器のキャップ。
【請求項８】
キャップ本体と内パッキンとの天板間には、キャップ本体の閉栓時に内パッキンを容器の口の天面に押圧するように働く環状圧接部を有している請求項３〜７のいずれか１項に記載の容器のキャップ。
【請求項９】
キャップ本体と内パッキンの簡易開封部の周りとの間には、キャップ本体の閉栓時にシール状態に圧接し合う環状圧接部を有している請求項３〜８のいずれか１項に記載の容器のキャップ。
【請求項１０】
キャップ本体の天板の内側に嵌め込まれる天板と、この天板から下方に延びて容器の口に嵌合してシールする環状壁と、前記天板の環状壁の内側に簡易に開封できるように設けた簡易開封部と、前記天板の容器の口の天面に載るフランジ部の外周に設けられてキャップ本体の胴部の内周の引っ掛かり部と軸線方向に引っ掛かり合って前記嵌め込み位置からの脱落を防止される引っ掛かり部とを備え、それら引っ掛かり部またはおよびその周辺部のキャップ本体閉栓または開栓時の少なくとも一方の弾性変形または塑性変形を伴い前記引っ掛かり合いが解除されるようにしたことを特徴とする容器のキャップの内パッキン。
【請求項１１】
天板の簡易開封部の周りには、閉栓したキャップ本体の天板と圧接してシールされる環状凸条を有した請求項１０に記載の容器のキャップの内パッキン。
【請求項１２】
天板のフランジ部は、閉栓したキャップ本体の天板と圧接して容器の口の天面に押圧されシールする環状凸条を有した請求項１０、１１のいずれか１項に記載の容器のキャップのパッキン。
【発明の詳細な説明】
【技術分野】
【０００１】
本発明は容器のキャップの使用方法と容器のキャップ、これらに用いる内パッキンに関し、詳しくは、ペットボトルで代表されるプラスチック製の飲料用の容器に広く利用されているようなピルファープルーフ機能を有した合成樹脂製のキャップの使用方法とキャップ、これらに用いる内パッキンに関するものである。
【背景技術】
【０００２】
一般にこの種のキャップは、天板とこの天板の外周に筒状に連続し容器の口の外周に螺子嵌合する雌ねじを持つ胴部とを有したキャップ本体と、このキャップ本体の胴部にキャップ本体の開栓に伴い容器の口との間で切り離しを図る部分接続部で繋がるピルファープルーフバンドとを備え、キャップ本体内の内パッキンなどが持っている天板から下方に延びて容器の口の内周に密嵌合しシールする環状壁を有したシール構造を採用している（例えば、特許文献１参照。）。これにより、キャップ本体を開栓するのに、環状壁の容器の口との密嵌合が外れて開封するまでの持ち上げストロークを利用したピルファープルーフバンドの回復不能な切り離しと、それによるピルファープルーフバンドの容器の口への取り残しが行われて、開封の事実を隠せないいわゆるピルファープルーフ機能を発揮する。
【０００３】
特に、特許文献１に記載のキャップは、内パッキンの天板の中央部に外部からストローなどによって破断、開封可能なストロー挿入口を設けて、キャップ本体の天板の開口から外部に露出させている。これにより、露出しているストロー挿入口にストローを押し付けたりするとそれが破断して開封することができ、開封したストロー挿入口に挿入したストローを通じて飲料をストローで吸い飲みすることができる。
【特許文献１】特開２００４−２１７２５０号公報
【発明の開示】
【発明が解決しようとする課題】
【０００４】
しかし、上記のようにストロー挿入口が開封されないまでも外部に露出しているのでは、種々に汚損してそれが挿入するストローに付着して内部に持ち込まれやすいなど、衛生上問題である。しかも、ストロー挿入口の破断、開封を容易にするために、肉抜き、スコアなどと称される刻線などによる線状の薄肉部を形成する凹部などにはゴミが付着し、堆積しやすいし、破断時に内部に持ち運ばれやすい問題がある上、閉栓後の容器の正当な開栓、開封までの各種取り扱い時に外力を受けて不用意に破断してしまったり、店頭などでのいたずらによって破断されてしまったりしやすい問題もある。これは、ピルファープルーフバンドの切り離しを伴う開栓操作に比しストロー挿入口の破断、開封が余りにも安易に過ぎ、ピルファープルーフバンドによる折角のピルファープルーフ機能を生かし切れないという問題でもある。
【０００５】
また、特許文献１はこのようなことを防止するのに、ストロー挿入口にカバー片を貼付することを開示しているが、このようなカバー片も各種取り扱い時に不用意に剥がれたり、いたずらで剥がされたりしやすいので、十分な対策にはならない。
【０００６】
さらに、特許文献１に記載のものは、ストロー挿入口を一旦破断、開封すると、これを再度封止することはできず、飲み残した飲料がある場合の容器の取り扱い上、飲料が漏れやすい問題がある。
【０００７】
本発明の目的は、従来のピルファープルーフ機能および衛生性を損なわずに、直飲みに加え、ストローで吸い飲みができる容器のキャップの使用方法と容器のキャップ、これらに用いる内パッキンを提供することにある。
【課題を解決するための手段】
【０００８】
上記のような目的を達成するために、本発明の容器のキャップの使用方法は、容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンの天板から下方に延びてキャップ本体の容器の口への閉栓に伴い容器の口に嵌合してシールする環状壁を有したキャップを、前記内パッキンのキャップ本体との軸線方向での引っ掛かりによる脱落の防止を図って閉栓に供し、またはこの閉栓と閉栓に伴う前記引っ掛かりの解除とに供し、閉栓後のキャップ本体の開栓、取り外し時には、前記部分接続部でのピルファープルーフバンドの切り離しによる取り残しに併せ、前記引っ掛かり解除状態によりまたは前記引っ掛かりの解除を伴って内パッキンを容器の口への嵌合状態に取り残して露出させ、その天板の前記環状壁よりも内側に有する簡易に開封できる簡易開封部を通じたストローでの吸い飲み、または内パッキンの取り外しによる直飲みまたはストローでの吸い飲みに供せるようにすることを１つの特徴としている。
【０００９】
このような構成では、キャップ本体はその天板の内側に嵌め込んだ内パッキンを、相互の軸線方向の引っ掛かり合いによる脱落防止状態にて１つの部材として取り扱え、キャップ本体の胴部内周の雌ねじを容器の口の外周に螺子嵌合させることで、ピルファープルーフバンドの前記切り離しのためのよく知られた係止位置への装着に併せ、内パッキンを容器に嵌合させてシール状態として閉栓することが確実に行える。にもかかわらず、前記閉栓状態からキャップ本体を開栓すると従来の場合同様に、容器の口の定位置に係止されたままのピルファープルーフバンドに対し、キャップ本体が容器の口に対し上動して部分接続部をピルファープルーフバンドとの間で破断させてピルファープルーフバンドを切り離すピルファープルーフ機能を遂行した上で、内パッキンに対しては前記閉栓に伴う前記引っ掛かり部どうしの引っ掛かり解除により、または前記開栓に伴う前記引っ掛かり部どうしの引っ掛かり解除によって、内パッキンを解放し容器の口への嵌合状態に取り残して露出させるので、その天板の前記環状壁よりも内側に有した簡易開封部を開封してストローを挿入し容器内の飲料を前記容器の口との嵌合による飲料の漏れ出し防止状態を保ったままストローで吸い飲みすることにも、また内パッキンの取り外しにより直飲みまたはストローで吸い飲みすることにも供せる。しかも、キャップ本体は開封構造部を持たず再度閉栓するとそれ単独で、あるいは内パッキンとともに容器の口をリシールすることができる。
【００１０】
本発明の容器のキャップの使用方法は、また、容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンの天板から下方に延びてキャップ本体の容器の口への閉栓に伴い容器の口に嵌合してシールする環状壁を有したキャップを、前記内パッキンのキャップ本体との軸線方向での引っ掛かりによる脱落の防止を図って閉栓に供し、またはこの閉栓と閉栓に伴う前記引っ掛かりの解除とに供し、閉栓後のキャップ本体の開栓、取り外し時には、前記部分接続部でのピルファープルーフバンドの切り離しによる取り残しに併せ、前記引っ掛かり解除状態によりまたは前記引っ掛かりの解除を伴って内パッキンを容器の口への嵌合状態に取り残して露出させ、その天板の前記環状壁よりも内側に有する簡易に開封できる簡易開封部を通じたストローでの吸い飲み、または内パッキンの取り外しによる直飲みまたはストローでの吸い飲みに供せるようにし、開栓後のキャップ本体の再度の閉栓により容器の口の、直接または内パッキンを介したシールを図れるようにすることを別の特徴としている。
【００１１】
このような構成では、前記１つの特徴の容器のキャップの使用方法の場合に加え、さらに、開栓後のキャップ本体の再度の閉栓によっては、容器の口の直接、または内パッキンを介したシールを図るので、内パッキンの有無にかかわらず容器の口をリシールすることができる。
【００１２】
本発明の容器のキャップは、容器の口の外周に螺子嵌合して閉栓するための雌ねじを持つ胴部を有したキャップ本体と、このキャップ本体の胴部にキャップ本体の開栓に伴い切り離しを図る部分接続部で繋がるピルファープルーフバンドと、キャップ本体の天板の内側に配した別体の内パッキンとを備え、この内パッキンはその天板から下方に延びてキャップ本体の容器の口への閉栓に伴い容器の口に嵌合してシールする環状壁と、天板の前記環状壁よりも内側に簡易に開封される簡易開封部とを有し、キャップ本体と内パッキンとの間に、互いの軸線方向での引っ掛かりにより内パッキンの容器の口からの脱落を防止し、キャップ本体の容器の口への閉栓によって前記引っ掛かりが予め解除されるか、閉栓したキャップ本体が開栓される際に前記引っ掛かりが前記環状壁の容器の口との嵌合状態からの引き抜き抵抗よりも小さな力で解除される引っ掛かり部を設けたことを１つの特徴として、前記１つの特徴の容器のキャップの使用方法を達成することができる。ここで、引き抜き抵抗にはホットパック後の降温、減圧による引圧力がある場合はこれも含まる。
【００１３】
内パッキンの引っ掛かり部とキャップ本体の胴部の引っ掛かり部とは、それらの少なくとも一方のそれ自体またはおよび周辺の弾性変形または塑性変形による変位を伴い前記引っ掛かり合いが解除される、さらなる構成では、
キャップ本体の閉栓またはおよび開栓時の容器の口、内パッキンとの相対移動を利用して引っ掛かり部自体またはおよびその周辺に必要な弾性変形または塑性変形を適時に得て、内パッキンのキャップ本体からの脱落防止状態としながらも、キャップ本体の開栓時の容器の口への取り残しが簡単に図れる。
【００１４】
弾性変形または塑性変形は内パッキン側がなし、内パッキンはキャップ本体よりも軟質の樹脂材料よりなる、さらなる構成では、
キャップ本体を内パッキンよりも硬質材料とすることにより、外力を受けやすく、かつ強い操作力が及びやすいことに対応し、内パッキンをシール位置に押圧しやすくしながら、内パッキンはキャップ本体よりも軟質材料として容器の口との間の馴染み性、シール性を確保しながら、内パッキン側の引っ掛かり部に必要な弾性変形性、塑性変形性を得やすくすることができる。
【００１５】
弾性変形または塑性変形する引っ掛かり部またはおよびその周辺部は、周方向に断続して設けてある、さらなる構成では、
引っ掛かり部またはおよびその周辺部が周方向に断続していることにより、周方向に連続している場合に比し、変形剛性が低くなり、弾性変形、塑性変形が共に容易かつ確実になる。
【００１６】
弾性変形または塑性変形する引っ掛かり部は、内パッキン側基部またはおよびキャップ本体の胴部側基部に、弾性変形または塑性変形を促進する肉抜き、刻線、切り込みなどによる変形促進部を設けた、さらなる構成では、
引っ掛かり部またはおよびその周辺部のそれらが設けられる内パッキン側またはおよびキャップ本体の胴部側基部にある肉抜き、刻線、切り込みなどの変形促進部が、それらの変形剛性を低下させる分だけ、引っ掛かり部またはおよびその周辺部の弾性変形や塑性変形による引っ掛かり解除が容易になる。
【００１７】
キャップ本体と内パッキンとの天板間には、キャップ本体の閉栓時に内パッキンを容器の口の天面に押圧するように働く環状圧接部を有している、さらなる構成では、
初期閉栓、再閉栓の別なく、キャップ本体の天板の内側に内パッキンが位置している限りにおいて、キャップ本体の天板と内パッキンの天板との間の環状圧接部による、局部的な強い押圧力を環状に連続して得て、内パッキンを容器の口の天面全周に圧着させやすくなる。環状圧接部をキャップ本体の天板側に有していると、内パッキンがあるときはそれに対して働かせ、内パッキンがない場合は容器の口の天面に対して直接働かせて、いずれの場合も局部的な強い押圧力が環状に連続したシールが可能となる。
【００１８】
キャップ本体と内パッキンの簡易開封部の周りとの間には、キャップ本体の閉栓時にシール状態に圧接し合う環状圧接部を有している、さらなる構成では、
内パッキンの簡易開封部を開封した後のキャップ本体の再閉栓時はもとより、初期閉栓時に万一にも簡易開封部が開封しているような場合でも、簡易開封部まわりでのキャップ本体の天板と内パッキンの天板との間の環状圧接部によるシール状態によって、容器内の飲料が前記天板間の簡易開封部に対応する領域外にまで広がるのを防止することができる。
【００１９】
上記の方法、キャップは、また、キャップ本体の天板の内側に嵌め込まれる天板と、この天板から下方に延びて容器の口に嵌合してシールする環状壁と、前記天板の環状壁の内側に簡易に開封できるように設けた簡易開封部と、前記天板の容器の口の天面に載るフランジ部の外周に設けられてキャップ本体の胴部の内周の引っ掛かり部と軸線方向に引っ掛かり合って前記嵌め込み位置からの脱落を防止される引っ掛かり部とを備え、それら引っ掛かり部またはおよびその周辺部のキャップ本体閉栓または開栓時の少なくとも一方の弾性変形または塑性変形を伴い前記引っ掛かり合いが解除されるようにしたことを特徴とする容器のキャップの内パッキンをも提供している。
【００２０】
この場合、天板の簡易開封部の周りに、閉栓したキャップ本体の天板と圧接してシールされる環状凸条を有したものとして、キャップ本体の天板との間の環状圧接部とすることができる。
【００２１】
また、内パッキンの天板のフランジ部が、閉栓したキャップ本体の天板と圧接して容器の口の天面に押圧されシールする環状凸条を有したものとして、キャップ本体の天板との間の環状圧接部とすることができる。
【００２２】
本発明のそれ以上の目的および特徴は、以下の詳細な説明および図面によって明らかになる。本発明の各特徴は、それ単独で、あるいは可能な限りにおいて種々な組合せで複合して採用することができる。
【発明の効果】
【００２３】
本発明の容器のキャップの使用方法の１つの特徴によれば、キャップ本体の初期閉栓による内パッキンとの引っ掛かり合いによる一体的な取扱いでの容器の口のシール機能と、キャップ本体を開栓した時のピルファープルーフ機能をいささかも損なわずに、キャップ本体の開栓に際しては内パッキンとの引っ掛かりの影響なく容器の口への嵌合状態に取り残して露出させ、内パッキンによる飲料の漏れ出し防止状態にてその簡易開封部を通じたストローによる吸い飲みできるようにするし、内パッキンを取り外しての直飲みまたはストローで吸い飲みすることもできるようにする。しかも、キャップ本体は開封構造部はなく再度閉栓してそれ単独で、あるいは内パッキンとともに容器の口をリシールすることができるし、開栓前はもとより、再閉栓時にても内パッキンを覆ってゴミなどが付着して不衛生となることを防止できる。
【発明を実施するための最良の形態】
【００２４】
以下、本発明に係る容器の口のキャップの実施の形態について図１〜図８を参照しながら説明し、本発明の理解に供する。なお、以下の説明および図示は、本発明の具体例であって、特許請求の範囲における記載の内容を限定するものではない。
【００２５】
本実施の形態の容器の口のキャップは、いわゆるペットボトルと称される樹脂製の容器の口に設けられる樹脂製のキャップを対象としている。図１（ａ）に示す例、図３（ａ）に示す例、図４（ａ）に示す例、図５に示す例、図６に示す例、図７に示す例、図８に示す例のように、キャップＣは、平面視で円形な天板５とこの天板５の外周に筒状に連続し平面視で円形な容器２の口２ａの外周の雄ねじ２ｂとの間で螺子嵌合する雌ねじ３を持つ胴部４とを有したキャップ本体１と、このキャップ本体１の胴部４にキャップ本体１の開栓に伴い容器２の口２ａとの間で切り離しを図るいわゆるブリッジと称される周方向に配設された部分接続部６で繋がるピルファープルーフバンド７と、キャップ本体１の天板５の内側に脱落しないように嵌め合わせて配した別体の内パッキン１１とを備え、この内パッキン１１はその天板１５から下方に延びて容器２の口２ａの内周に密嵌合する環状壁８を有し、これを基本構成としている。
【００２６】
このような基本構成を有したキャップＣは、容器２の口２ａに装着されて閉栓し、高温の内容物が充填されるか、常温の内容物が充填された後高温で熱処理された、殺菌済みの高温内容物が充填されている容器２を密封する。いわゆるホットパックである。キャップＣによる閉栓はキャップ本体１および容器２の雌雄ねじ３、２ｂどうしを螺合させてキャップ本体１を容器２の口２ａに対し螺子締めすることによって行われる。このとき環状壁８はその内周途中膨らみ部がなす密嵌部８ａなどにて図１（ａ）に代表して示すような密嵌代ａを有して容器２の口２ａの内周に対し少なくとも所定嵌合深さｂの位置で密嵌合し、環状壁８の部分から外周へ張り出したフランジ部１６が少なくとも容器２の口２ａの天面２ｃに密着される状態となって容器２の口２ａを密閉する。特に、前記ホットパックしてからの常温への冷却や冷蔵保存などにより容器２内が減圧すると、前記内パッキン１１を引き付けて前記密嵌合状態を保ち、フランジ部１６の容器２の天面２ｃへの密着度を高めるので密封度を増す。しかし、キャップＣの使用はホットパックに限られることはない。
【００２７】
一方、キャップＣによる上記のような閉栓終了段階でピルファープルーフバンド７に形成されている周方向に蛇腹状を有した係止部１４が容器２の口２ａの雄ねじ２ｂの下に一体形成されている環状の係止凸条２ｄに上方から突っ張ることによって下向き状態から図示する上向き状態に反転させられながら、閉栓完了と同時に反転が完了しかつ係止凸条２ｄを下方に乗り越え終えてその下側に係合する。これによりピルファープルーフバンド７はキャップ本体１の開栓操作によってもその場に係止されたままで、キャップ本体１のみが雌雄ねじ３、２ｂ間での螺子緩みに伴い上方へ開栓されていく。これを利用して、開栓の所定の時期にキャップ本体１とピルファープルーフバンド７との間の部分接続部６を引き伸ばして破断させ、ピルファープルーフバンド７を容器２の口２ａの初期位置に取り残してしか開栓できないようにすることで、ピルファープルーフ機能を発揮するようにしている。以上のような基本構造を有するキャップＣであるかぎり、容器２がどのような材料よりなるものでも、また、どのような形態を有したものでも本発明は有効であり、本発明のキャップＣが対象とする容器２であり得る。
【００２８】
ここで、一般的には、キャップ本体１およびピルファープルーフバンド７はポリプロピレンを始めとして、高密度ポリエチレンなどの合成樹脂よりなり、部分接続部６は型成形によって、あるいは成形品に対する図１（ａ）などに示すカッタなどを利用した切り込み１３によって形成される。内パッキン１１はポリエチレンを始め、ランダムポリプロピレン、ポリプロピレンとゴムをブレンドしたもの、エチレン酢酸ビニル共重合体などのキャップ本体１に対しては比較的軟質の合成樹脂材料よりなるものとされ、容器２の口２ａ、天面２ｃへの馴染み性、密着性、密閉性を得やすくしている。
【００２９】
本実施の形態ではこのようなキャップＣを使用するのに、いずれの例の場合も、内パッキン１１のキャップ本体１との軸線方向での引っ掛かり代ｃを持った嵌め合いでの引っ掛かりによる脱落の防止を図って閉栓に供し、またはこの閉栓と閉栓に伴う前記引っ掛かりの解除とに供し、閉栓後のキャップ本体１の開栓、取り外し時には、図２（ｂ）、図３（ｂ）、図４（ｂ）で代表して示すように、前記部分接続部６でのピルファープルーフバンド７の切り離しによる取り残しに併せ、前記引っ掛かり解除状態によりまたは前記引っ掛かりの解除を伴って内パッキン１１を容器２の口２ａへの嵌合状態に取り残して露出させる。これにより、内パッキン１１の天板１５の前記環状壁８よりも内側に有する簡易に開封できる簡易開封部２１を通じたストロー２２での吸い飲み、または内パッキン１１の取り外しによる直飲みまたはストロー２２での吸い飲みに供せるようにする。簡易開封部２１は内パッキン１１に設けた透孔をシール片で塞ぎ、それを剥がすかストロー２２で突き破って簡易に開封するものとしてもよいが、それでは手間であるので、図示する例では内パッキン１１の天板１５の天面側に設けたスコアと称される刻線２３や肉抜きなどの開封線を持って一体形成した部分として設け、ストロー２２などで図３（ｂ）、図４（ｂ）で代表して示すように破断させ、簡易に開封できるものとしている。ストロー２２はその先端を図示するように斜め切りしておくと破断力を集中して働かせやすく開封に有利である。
【００３０】
このようにすると、キャップ本体１はその天板５の内側に嵌め込んだ内パッキン１１を、従来の場合と同様に互いの引っ掛かり部３１、３２間の引っ掛かり代ｃを持った軸線方向の引っ掛かり合いによる脱落防止状態が得られる。従って、内パッキン１１の嵌め込み後のキャップ本体１を１つの部材として取り扱っても内パッキン１１を脱落させることはない。このため、キャップ本体１の胴部４内周の雌ねじ３を容器２の口２ａの外周に螺子嵌合させることで、ピルファープルーフバンド７の前記切り離しのための係止位置への装着に併せ、嵌め込んだままとなっている内パッキン１１を容器２の口２ａに嵌合させてシール状態に閉栓することが確実に行える。
【００３１】
にもかかわらず、前記閉栓状態からキャップ本体１を開栓すると従来の場合と同様に、ピルファープルーフバンド７が容器２の口２ａの定位置に係止されたままになるのに対し、キャップ本体１は上動することにより部分接続部６を引っ張って破断させてピルファープルーフバンド７を切り離しピルファープルーフ機能を遂行した上で、内パッキン１１に対しては前記閉栓に伴う前記引っ掛かり部３１、３２どうしの引っ掛かり解除により、または前記開栓に伴う前記引っ掛かり部３１、３２どうしの引っ掛かり解除によって、内パッキン１１を解放して容器２の口２ａへの嵌合状態に取り残すようにでき、取り残された内パッキン１１はキャップ本体１の最終的な取り外しによって露出される。この結果、内パッキン１１の天板１５の環状壁８よりも内側に有した簡易開封部２１を開封してストロー２２を挿入し容器２内の飲料を前記容器２の口２ａとの嵌合による飲料の漏れ出し防止状態を保ったままストロー２２で吸い飲みすることにも、また内パッキン１１の取り外しにより直飲みまたはストロー２２で吸い飲みすることにも供することができる。しかも、キャップ本体１は開封構造部を持たず再度閉栓するとそれ単独で、あるいは内パッキン１１とともに容器２の口２ａをリシールすることができるし、開栓前はもとより、再閉栓時にても内パッキン１１を覆ってゴミなどが付着して不衛生となることを防止できる。
【００３２】
なお、引っ掛かり部３１、３２どうしの引っ掛かり代ｃによる引っ掛かり力は、キャップ本体１に内パッキン１１を嵌め込んだ時点から容器２の口２ａを閉栓するまでの各種の取り扱い時に、自重はもとより振動や少々の慣性が働いても脱落しない程度に設定される必要がある。これに対し、開栓時における内パッキン１１の容器２の口２ａへの取り残しには、キャップ本体１の容器２の口２ａへの閉栓によって前記引っ掛かり部３１、３２どうしの引っ掛かり代ｃによる引っ掛かりが予め解除されているか、閉栓したキャップ本体１が開栓される際に前記引っ掛かりが前記環状壁８の容器２の口２ａとの嵌合状態からの引き抜き抵抗よりも小さな力で解除されるようにすればよい。この際の引き抜き抵抗にはホットパック後の降温、減圧による引圧力がある場合これも含まる。
【００３３】
そこで、上記のような使用ができるキャップＣとしては、容器２の口２ａの外周に螺子嵌合して閉栓するための雌ねじ３を持つ胴部４を有したキャップ本体１と、このキャップ本体１の胴部４にキャップ本体１の開栓に伴い切り離しを図る部分接続部６で繋がるピルファープルーフバンド７と、キャップ本体１の天板５の内側に配した別体の内パッキン１１とを備え、この内パッキン１１はその天板１５から下方に延びてキャップ本体１の容器２の口２ａへの閉栓に伴い容器２の口２ａに嵌合してシールする環状壁８と、天板１５の環状壁８よりも内側、つまり環状壁８に囲われる領域内に簡易に開封される簡易開封部２１とを有し、キャップ本体１と内パッキン１１との間に、互いの引っ掛かり代ｃを持った嵌め合いでの引っ掛かりにより内パッキン１１の容器２の口２ａからの脱落を防止し、キャップ本体１の容器２の口２ａへの閉栓によって前記引っ掛かりが予め解除されるか、閉栓したキャップ本体１が開栓される際に前記引っ掛かりが前記環状壁８の容器２の口２ａとの嵌合状態からの引き抜き抵抗よりも小さな力で解除される引っ掛かり部３１、３２を設けたものとすれば足りる。
【００３４】
これを満足するのに、内パッキン１１の引っ掛かり部３２とキャップ本体１の胴部４の引っ掛かり部３１とは、それらの少なくとも一方のそれ自体またはおよび周辺の弾性変形または塑性変形による変位を伴い前記嵌め合わされ、引っ掛かり合いが解除されるものとすることができ、これにより、キャップ本体１に対する内パッキン１１の脱落防止状態での嵌め合わせ、および、キャップ本体１の閉栓またはおよび開栓時の容器２の口２ａ、内パッキン１１との相対移動を利用して引っ掛かり部３１、３２の少なくとも一方のそれ自体またはおよびその周辺に必要な弾性変形または塑性変形を適時に得て、内パッキン１１のキャップ本体１からの脱落防止状態としながらも、キャップ本体１の開栓時の容器２の口２ａへの取り残しが簡単に図れる。
【００３５】
なお、弾性変形または塑性変形は内パッキン１１側がなし、既述したように内パッキン１１がキャップ本体１よりも軟質の樹脂材料よりなると、キャップ本体１が内パッキン１１よりも硬質材料であることにより、外力を受けやすく、かつ強い操作力が及びやすいことに対応し、内パッキン１１のシール位置への押圧も強力に行えるようにしながら、内パッキン１１がキャップ本体１よりも軟質材料であることにより、容器２の口２ａとの間の馴染み性、シール性の確保はもとより、内パッキン１１側の引っ掛かり部３２に必要な弾性変形性、塑性変形性を得やすくすることができる。しかも、内パッキン１１が弾性変形する場合は低密度ポリエチレンとすると引っ掛かり部３２の弾性変形に有利となるし、塑性変形する場合は高密度ポリエチレンとすると、適度な柔軟性によって容易に変形できるようにしながら、その変形が塑性変形となって戻りにくくするのに有利となる。
【００３６】
図１、図２に示す例について詳述すると、キャップ本体１の引っ掛かり部３１はその胴部４に一体成形した雌ねじ３のねじ山であり、内パッキン１１の引っ掛かり部３２はそのフランジ部１６における容器２の口２ａの外周部に回り込む図１（ａ）（ｂ）、図２（ｂ）に示すようなサイドシール部１６ａの下端部外周から外方へ張り出すように一体成形した薄肉の張り出し片としてあり、キャップ本体１の開栓時に引っ掛かり部３２が弾性変形して引っ掛かり部３１との引っ掛かり合いが解除されるようにしている。この場合、引っ掛かり部３２は弾性変形するものの引っ掛かり代ｃにより内パッキン１１の自重や各種取り扱いによるキャップ本体１からの脱落を防止する程度の変形抵抗を有して一体的な取り扱いを可能にする。しかし、キャップ本体１がその開栓時に容器２の口２ａに対して上昇していき雌ねじ３のねじ山による引っ掛かり部３１が内パッキン１１の引っ掛かり部３２に引っ掛かると、この引っ掛かり部３２が内パッキン１１の容器２の口２ａへの嵌合またはおよびホットパック後の引圧による口２ａへの吸着力による抜き取り抵抗よりも小さな力で弾性変形して上方へ押し退けられながら引っ掛かりを解除して引っ掛かり部３１を難なく上方に通過させ、内パッキン１１に口２ａからの引き抜き力が及ぶのを回避し、内パッキン１１を口２ａへの嵌合状態に取り残して開栓されたキャップ本体１のみが取り外される。この結果、内パッキン１１は口２ａのシール状態で露出されて簡易開封部２１が外部に臨み簡易開封部２１を通じたストロー２２による吸い飲みができる。容器２の口２ａによる直飲みやストロー２２での吸い飲みは内パッキン１１を口２ａから抜き取る必要があるが、内パッキン１１のサイドシール部１６ａが容器２の口２ａの外周になしている段部に指先を掛けるなどして容易に抜き取れる。また、サイドシール部１６ａを省略した例である場合でも、フランジ部１６が口２ａの天面２ｃとの間に境界を形成するので、この境界を押し広げるように爪先を挿入するなどして少し引き上げた後、フランジ部１６に指先を掛けて引き抜ける。
【００３７】
ここに、内パッキン１１は引っ掛かり部３２の適度な弾性変形のために、既述した低密度ポリエチレン製とするのが好都合であり、引っ掛かり部３２をなす張り出し片の厚みや大きさ、形状、引っ掛かり代ｃなどの設定によって引っ掛かり部３１との引っ掛かり力の強弱を設定すればよい。図示例では雌ねじ３が一周を越えて連続した一条ねじであるのに対し、引っ掛かり部３２は周方向に不連続なものとして前記弾性変形に有利な形態としてある。しかし、内パッキン１１のキャップ本体１内での傾きや引っ掛かり部３２の雌ねじ３の螺子溝への嵌まり込みなどによって不用意に脱落しないように、図１（ｃ）、図２（ａ）に示すように適当な幅Ｂを持ったものとして周方向８箇所に設けてある。もっとも、引っ掛かり部３２は周方向に連続していてよく、この場合、引っ掛かり代ｃを小さくしても内パッキン１１のキャップ本体１からの脱落を防止しやすい上、引っ掛かり代ｃを小さくした分だけキャップ本体１の開栓時の取り残し機能も高まる。
【００３８】
また、開栓状態で内パッキン１１の簡易開封部２１を通じてストロー２２により吸い飲みした後、あるいは内パッキン１１を取り外して直飲みまたはストロー２２での吸い飲み後に再度内パッキン１１を容器２の口２ａに嵌合させた状態で、キャップ本体１を再度閉栓する場合、キャップ本体１の引っ掛かり部３１は内パッキン１１の引っ掛かり部３２と引っ掛かり代ｃを持って引っ掛かるが、内パッキン１１が容器２の口２ａにバックアップされた状態であることにより、引っ掛かり部３２を弾性的に押し退けながら確実に閉栓していき、閉栓完了によって内パッキン１１を容器２の口２ａのシール状態に押圧保持するので、残りの飲料が漏れ出るようなことがない。簡易開封部２１が開封された後の内パッキン１１自体はその開封された簡易開封部２１を通じて飲料が流出する部分になるが、その天板１５がキャップ本体１の天板５と容器２の口２ａの天面２ｃとの間で挟みつけられる部分から外側へ流出するようなことを防止することができる。このようなシール効果を高めるために、キャップ本体１の天板５の内面には内パッキン１１の天板１５を容器２の口２ａの天面２ｃに押し付ける環状の凸条３３を一体形成してある。基本的にはこのような凸条３３は内パッキン１１の天板１５側に一体形成してもよいが、キャップ本体１の天板５側であると、内パッキン１１を取り外した状態でキャップ本体１が閉栓されるような場合でも、内パッキン１１がない分容器２の口２ａとのねじ嵌合量が増すことで凸条３３を容器２の口２ａの天面２ｃに圧接させて容器２の口２ａとの間のシールを確保しやすい。
【００３９】
さらに、簡易開封部２１が開封された内パッキン１１を装着した状態での再閉栓後、再開栓する場合内パッキン１１にはホットパック後の引圧は働かないので、その分内パッキン１１の引き抜き抵抗は容器２の口２ａとの嵌合による抵抗分だけとなる。このような場合の再開栓を考えると引っ掛かり部３１、３２どうしの引っ掛かり代ｃによる引っ掛かりを解除するのに必要な操作力は前記引圧が掛からない場合の嵌合による抵抗分よりも小さく設定しておくのが好適である。
【００４０】
なお、内パッキン１１はキャップ本体１の閉栓時に供回りしないように、天板５、１５間にそれらの一方または双方に設けた凹部や粗面、凸条３３などによるエアギャップＡＧを設けてあるのに対応して、内パッキン１１は引っ掛かり部３２を有した状態でもキャップ本体１の胴部４の内周との間には図２（ａ）に示すようなギャップＧを設けてある。
【００４１】
図３に示す例について詳述する。本例では、内パッキン１１の引っ掛かり部３２が、先端に向かって厚みが小さくなるかまたは厚みがほぼなくなるフィレ状の張り出し片をなして、キャップ本体１の雌ねじ３のねじ山がなす引っ掛かり部３１との間の脱落防止用の引っ掛かり代ｃを満足するようにしてある。引っ掛かり代ｃは図１、図２の例の場合よりも大きく設定してあるがキャップ本体１の開栓時は引っ掛かり部３１によって図３（ｂ）に実線で示す状態から仮想線で示す状態に押し退けられて塑性変形を伴い引っ掛かりを解除し、ほとんど元には戻らないようにしている。
【００４２】
これにより、開栓状態で内パッキン１１の簡易開封部２１を通じてストロー２２により吸い飲みした後、あるいは内パッキン１１を取り外して直飲みまたはストロー２２での吸い飲み後に再度内パッキン１１を容器２の口２ａに嵌合させた状態で、キャップ本体１を再度閉栓する場合に、キャップ本体１の引っ掛かり部３２と内パッキン１１の引っ掛かり部３２との引っ掛代ｃがないか極く小さくなっていて、キャップ本体１は引っ掛かり部３１が内パッキン１１の引っ掛かり部３２と引っ掛かることなく素通りして、または少し引っ掛かることがあっても引っ掛かり部３２を弾性的に軽く押し退けて難なく通過することになる。従って、キャップ本体１は通常のキャップと操作の抵抗や感触などが変わらないか、ほとんど変わらない状態で閉栓できる。
【００４３】
このことは、また、簡易開封部２１が開封された内パッキン１１を装着した状態でキャップ本体１を再開栓するのに、キャップ本体１と内パッキン１１との間の引っ掛かりがないか、ほとんどない状態で行えることを意味し、内パッキン１１を容器２の口２ａへの嵌合状態に確実に取り残し、簡易開封部２１を通じたストロー２２による吸い飲みが繰り返せるようになる。
【００４４】
このような引っ掛かり部３２の塑性変形は押し潰しや折損も含んでよく、弾性変形を利用する場合よりもやや硬質な材質で内パッキン１１を形成するのが好適で、高密度ポリエチレンなどが適している。一方、引っ掛かり部３２が先端に向かって厚みが小さくなるフィレ状であることによって、材質がやや硬質であっても先端部では引っ掛かり解消のための適度な弾性変形を得て上記のような再開栓を保証しやすくしている。
【００４５】
本例では、さらに、内パッキン１１の天板１５における簡易開封部２１の周縁部上面に、キャップ本体１の閉栓によってその天板５と圧接する環状の凸条３４を一体形成してあり、この圧接で簡易開封部２１が天板５によってシールされるようにしている。これにより、内パッキン１１の簡易開封部２１が開封された後の、キャップ本体１の再閉栓時に飲料が簡易開封部２１よりも外回りに流出するのを防止する作用が得られる。このような凸条３４はキャップ本体１の天板５側に設けることもできる。
【００４６】
なお、本例のフィレ状の引っ掛かり部３２の基部ないしはその近傍に図３（ｃ）に示すような環状の溝をなす上面から肉抜きした肉抜き部３５、あるいはそれに代わる刻線、切込みなどの変形促進部を設けて、引っ掛かり部３１との間の引っ掛かり解除のための変形性を高めることができ、前記塑性変形を容易にするし、弾性変形により引っ掛かりを解除する場合にも有効である。
【００４７】
図４に示す例について詳述する。本例では、キャップ本体１の胴部４の内周上部に、雌ねじ３とは別に、内側に突出した引っ掛かり部３１を一体形成し、内パッキン１１の外周との間に引っ掛かり代ｃをもって内パッキン１１を支持し脱落しないようにしている。このような引っ掛かり部３１は水平面上に配置できるので、ねじ山とは異なり周方向の３ケ所ぐらいに設ければ内パッキン１１を安定に支持でき、小さな突起とし、また引っ掛かり部３２との引っ掛かり代ｃを極く小さくしても十分である。従って、内パッキン１１のフランジ部１６の外周に形成した環状に連続するサイドシール部１６ａの外周を引っ掛かり部３２としてそれとの間に引っ掛かり代ｃを持つ状態としてあるが、引っ掛かり部３１、３２間に引っ掛かりを解消する弾性変形や塑性変形が得られやすい。
【００４８】
本例では、内パッキン１１の引っ掛かり部３２が内パッキン１１のフランジ部１６ａにほぼ同じ厚さで続くサイドシール部１６ａが形成していることに関連して、そのフランジ部１６側基部の近傍に上面から環状な溝状に肉抜きした肉抜き部３５を形成している。これにより、キャップ本体１が図４（ａ）の閉栓状態から図４（ｂ）の状態に開栓される際に、キャップ本体１の引っ掛かり部３１が内パッキン１１の引っ掛かり部３２に引っ掛かると、引っ掛かり部３２はその基部近傍の肉抜き部３２を変形基点とした弾性変形を伴い押し退けられて図４（ｂ）に実線で示す状態から仮想線で示す状態へ弾性変位する。これにより、キャップ本体１は引っ掛かり部３１、３２どうしの引っ掛かりを難なく解除しながら開栓される。
【００４９】
図５に示す例について詳述する。本例では内パッキン１１のフランジ部１６の外周から肉抜き部３５を基部に有して下向きに繋がり、容器２の口２ａの外周との間にギャップＧを有した引っ掛かり部３２を一体形成し、キャップ本体１の側の引っ掛かり部３１、本例では雌ねじ３のねじ山による引っ掛かり部３１との間に脱落防止のための引っ掛かり代ｃを持つようにしてある。これにより、キャップ本体１が開栓される際に、引っ掛かり部３２はキャップ本体１の引っ掛かり部３１との引っ掛かりにより押圧されると、容器２の口２ａの外周との間のギャップＧ側へ押し退けられて肉抜き部３５を基点に弾性変形または塑性変形し、引っ掛かりを解除する。塑性変形する場合は既述したようにキャップ本体１の再閉栓に特に有効である。
【００５０】
図６に示す例について詳述する。本例では、キャップ本体１の側に設ける突起状の引っ掛かり部３１を、キャップ本体１に周方向３ケ所以上に一体成形したリブ状部４１の一部として一体成形してあり、図４に示す例の肉抜き部３５をフランジ部１６側基部の近傍に設けたサイドシール部１６ａがなす引っ掛かり部３２と引っ掛かり代ｃを有して引っ掛かり合うようにしてあり、開栓の際など適時に、引っ掛かり部３２側の肉抜き部３５を利用した弾性変形によって引っ掛かりが解除されるようにしている。この場合、リブ状部４１の引っ掛かり部３１の背部に図に仮想線で示すような切込み４２を設けると、引っ掛かり部３１側の弾性変形または塑性変形を伴う後退挙動を得て、引っ掛かり部３１、３２どうしの引っ掛かりの解除に寄与することもでき、場合によっては内パッキン１１の引っ掛かり部３２側の弾性変形または塑性変形を伴う変位を省略することができる。
【００５１】
図７に示す例について詳述する。本例では、キャップ本体１の側に設ける突起状の引っ掛かり部３１を、キャップ本体１の天板５に、胴部４との間にギャップＧおよび基部の刻線４３を有して形成した環状または周方向に不連続な３つ以上の下向きの突壁４４に一体成形してあり、図４に示す例のような肉抜き部３５を設けないでフランジ部１６に連続するようにしたサイドシール部１６ａがなす引っ掛かり部３２と引っ掛かり代ｃを有して引っ掛かり合うようにしてある。これにより、開栓の際など適時に、突壁４４の前記ギャップＧおよび刻線４３を利用した弾性変形または塑性変形を伴う引っ掛かり部３１側の後退挙動を得て、引っ掛かり部３１、３２どうしの引っ掛かり合いを解除する。
【００５２】
図８に示す例について詳述する。本例では、図５に示す例の場合と同様に、内パッキン１１のフランジ部１６の外周から肉抜き部３５を基部に有して下向きに繋がり、容器２の口２ａの外周との間にギャップＧを有した引っ掛かり部３２を一体形成し、キャップ本体１の側の引っ掛かり部３１、本例では雌ねじ３のねじ山による引っ掛かり部３１との間に脱落防止のための引っ掛かり代ｃを持つようにしてある。しかし、本例では、さらに、引っ掛かり部３２を塑性変形部に特定した上で、キャップ本体１の胴部４の内周上部に、この内周の雌ねじ３の内径Ｄ以内へ突出し、前記引っ掛かり部３２に上方から対向した下向きの段部５１を一体形成し、この段部５１はキャップ本体１の閉栓によって引っ掛かり部３２よりも下に達するようにしてある。
【００５３】
これにより、内パッキン１１を前記引っ掛かり代ｃを有して嵌め合わせたキャップ本体１を閉栓する際、図８（ａ）に示す内パッキン１１が容器２の口２ａとキャップ本体１との間に挟み付けられ始めてから図８（ｂ）に示す閉栓状態になる最終段階で、前記下向き段部５１は内パッキン１１の引っ掛かり部３２を押し退けて前記肉抜き部３５およびギャップＧを利用し、図８（ａ）に示す状態から図８（ｂ）に示す状態に内側へ塑性変形させるようにしてある。これにより、閉栓したキャップ本体１を開栓する際、キャップ本体１側の引っ掛かり部３１である雌ねじ３のねじ山は図８（ｂ）の状態に塑性変形している引っ掛かり部３２との引っ掛かりが既に解除されていて、通常のキャップと全く変わらない状態および感触で開栓することができるし、再閉栓においても同様である。
【００５４】
このような閉栓時に引っ掛かりを解除しておくことは、キャップ本体１の側の引っ掛かり部３１の塑性変形によっても行うことができ、その場合、キャップ本体１の側の引っ掛かり部３１の塑性変形は容器２の口２ａや内パッキン１１との接触を利用すればよい。
【産業上の利用可能性】
【００５５】
本発明は、ペットボトルで代表されるプラスチック製の容器に広く普及利用されているようなピルファープルーフ機能を有したキャップに実用して、開栓により内パッキンを利用したストローでの吸い飲みができる。
【図面の簡単な説明】
【００５６】
【図１】本発明の実施の形態に係る容器のキャップの１つの例を閉栓状態で示す断面図、独立した内パッキンの断面図および下面図である。
【図２】図１のキャップの開栓状態を示す平面図、半部を断面して見た正面図である。
【図３】本発明の実施の形態に係る容器のキャップの別の例を示す閉栓状態の断面図、開栓状態の断面図、変形例の一部断面図である。
【図４】本発明の実施の形態に係る容器のキャップの他の例を示す閉栓状態の断面図、開栓状態の断面図である。
【図５】本発明の実施の形態に係る容器のキャップの今１つの例を示す要部の断面図である。
【図６】本発明の実施の形態に係る容器のキャップのさらに別の例を示す要部の断面図である。
【図７】本発明の実施の形態に係る容器のキャップのさらに他の例を示す要部の断面図である。
【図８】本発明の実施の形態に係る容器のキャップのさらに今１つの例を示す閉栓途中状態と閉栓状態での要部の断面図である。
【符号の説明】
【００５７】
１  キャップ本体
２  容器
２ａ  口
２ｂ  雄ねじ
２ｃ  天面
３  雌ねじ
４  胴部
５、１５  天板
６  部分接続部
７  ピルファープルーフバンド
８  環状壁
１１  内パッキン
１６  フランジ部
１６ａ  サイドシール部
２１  簡易開封部
２２  ストロー
２３  刻線
３１、３２  引っ掛かり部
３３、３４  凸条
３５  肉抜き部
４１  リブ状部
４２  切込み
４３  刻線
４４  突壁
ｃ  引っ掛かり代
Ｃ  キャップ
【図１】
2006160290.tif 000003
【図２】
2006160290.tif 000004
【図３】
2006160290.tif 000005
【図４】
2006160290.tif 000006
【図５】
2006160290.tif 000007
【図６】
2006160290.tif 000008
【図７】
2006160290.tif 000009
【図８】
2006160290.tif 000010